(57)【要約】【課題】フォルダの階層の深さに伴うメモリの消費量を削減し得る放送コンテンツ処理装置を提供する。【解決手段】パス情報を特定する短縮パス情報を不揮発性メモリ６４に記憶し、またパス情報と短縮パス情報との対応関係を記述した登録ファイルをＨＤＤに記憶保持するようにしている。そして、任意のフォルダに対する短縮パス情報が入力された際に、制御部６１は、不揮発性メモリ６４に記憶されている短縮パス情報を利用して、入力短縮パス情報が正しいものであるか否かをチェックし、正しいものである場合に、ＨＤＤから登録ファイルを取得して当該ファイル中の短縮パス情報に対応するパス情報に基づいて、任意のフォルダにアクセスするようにしている。【選択図】      図２
2006094437.tif 000002
【特許請求の範囲】
【請求項１】
記録媒体を複数のフォルダに区分し、かつ複数のファルダを階層構造とし、各フォルダに放送コンテンツを格納し、前記複数のフォルダの中の任意のフォルダへのアクセス指示入力があったとき、任意のフォルダへのパス情報に基づいてアクセスし該フォルダに対する放送コンテンツの記録及び再生の少なくとも１つを実行する放送コンテンツ処理装置であって、
前記パス情報に比して少ない情報量で、前記パス情報を入力するための入力部に備えられた少なくとも１つの操作キーが操作されたときに前記パス情報を特定する短縮パス情報を格納する記憶手段と、
前記複数のフォルダの中から任意のフォルダに対応する短縮パス情報が入力されたとき、入力された短縮パス情報と前記記憶手段に記憶された短縮パス情報とを比較し、この比較結果に基づいて、前記短縮パス情報に対応するパス情報を記述した登録ファイルを取得する取得手段と、
この登録ファイル中の対応するパス情報に基づいて、該当するファルダにアクセスする制御手段とを具備したことを特徴とする放送コンテンツ処理装置。
【請求項２】
前記記録媒体が複数個備えられ、前記登録ファイルが複数の記録媒体の中の特定の記録媒体に記憶保持されているとき、
前記取得手段は、前記特定の記録媒体から前記登録ファイルを取得することを特徴とする請求項１記載の放送コンテンツ処理装置。
【請求項３】
前記短縮パス情報は、前記記録媒体を示す第１の識別情報と、前記フォルダ内に格納された放送コンテンツを示す第２の識別情報との組み合わせから成ることを特徴とする請求項１記載の放送コンテンツ処理装置。
【請求項４】
前記記憶手段は、情報の書き換え可能な不揮発性メモリであることを特徴とする請求項１記載の放送コンテンツ処理装置。
【請求項５】
記録媒体を複数のフォルダに区分し、かつ複数のファルダを階層構造とし、各フォルダに放送コンテンツを格納し、前記複数のフォルダの中の任意のフォルダへのアクセス指示入力があったとき、任意のフォルダへのパス情報に基づいてアクセスし該フォルダに対する放送コンテンツの記録及び再生の少なくとも１つを実行する放送コンテンツ処理装置の制御方法であって、
前記パス情報に比して少ない情報量で、前記パス情報を入力するための入力部に備えられた少なくとも１つの操作キーが操作されたときに前記パス情報を特定する短縮パス情報を不揮発性メモリに格納し、
前記複数のフォルダの中から任意のフォルダに対応する短縮パス情報が入力されたとき、入力された短縮パス情報と前記不揮発性メモリに記憶された短縮パス情報とを比較し、この比較結果に基づいて、前記短縮パス情報に対応するパス情報を記述した登録ファイルを取得し、
この登録ファイル中の対応するパス情報に基づいて、該当するファルダにアクセスすることを特徴とする放送コンテンツ処理装置の制御方法。
【発明の詳細な説明】
【技術分野】
【０００１】
この発明は、例えばＨＤＤ（Hard Disk Drive）内において、階層化された複数のフォルダのうちの任意のフォルダへ選択的にアクセスして放送コンテンツの記録及び再生の少なくとも１つを実行する放送コンテンツ処理装置及びこの放送コンテンツ処理装置の制御方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
ところで、上記デジタル記録機器においては、記憶領域を複数のフォルダで区分して階層化構造とすることができる。この場合、フォルダへのファイルの記録を管理する管理情報を、少なくともファイルの記録先を特定する情報、ファイル番号により形成して保持し、この管理情報の判定により、デジタル記録機器に適宜ディレクトリを作成するとともに、ディレクトリ内においては、ファイル番号が記録順に連続するようにファイル名を設定することにより、ユーザによるファイル管理を簡略化する技術が提案されている（例えば、特許文献１）。
【特許文献１】特開２００４−０９６５８２号公報。
【発明の開示】
【発明が解決しようとする課題】
【０００５】
ところが、上記階層化された複数のフォルダにおいては、任意のフォルダへのショートカット情報を実際のパス情報で扱う場合に、階層が深くなればなるほどパス情報の持つ情報量が増大し、上位アプリやＧＵＩでは扱いにくいものになってしまう。また、パス情報を保存するために必要な不揮発性メモリのメモリ容量を圧迫してしまうことになる。
【０００６】
そこで、この発明の目的は、デジタル記録機器に記録されている放送コンテンツを階層化された複数のフォルダにより容易に管理できるようにするとともに、フォルダの階層の深さに伴うメモリの消費量を削減し得る放送コンテンツ処理装置及びこの放送コンテンツ処理装置の制御方法を提供することにある。
【課題を解決するための手段】
【０００７】
この発明は、上記目的を達成するために、以下のように構成される。  
記録媒体を複数のフォルダに区分し、かつ複数のファルダを階層構造とし、各フォルダに放送コンテンツを格納し、前記複数のフォルダの中の任意のフォルダへのアクセス指示入力があったとき、任意のフォルダへのパス情報に基づいてアクセスし該フォルダに対する放送コンテンツの記録及び再生の少なくとも１つを実行する放送コンテンツ処理装置であって、パス情報に比して少ない情報量で、前記パス情報を入力するための入力部に備えられた少なくとも１つの操作キーが操作されたときにパス情報を特定する短縮パス情報を格納する記憶手段と、複数のフォルダから任意のフォルダに対応する短縮パス情報が入力されたとき、入力された短縮パス情報と記憶手段に記憶された短縮パス情報とを比較し、この比較結果に基づいて、短縮パス情報に対応するパス情報を記述した登録ファイルを取得する取得手段と、この登録ファイル中の対応するパス情報に基づいて、該当するファルダにアクセスする制御手段とを備えるようにしたものである。
【０００８】
この構成によれば、パス情報に比して情報量の少ない短縮パス情報のみが装置内部のメモリに記憶され、パス情報と短縮パス情報との対応関係を記述した登録ファイルは他の記録媒体または外部機器に記憶保持されることになるため、フォルダの階層の深さに伴う内部のメモリの使用量を削減できる。また、任意のフォルダに対する短縮パス情報が入力された際に、装置が保有する短縮パス情報を利用して、入力短縮パス情報が正しいものであるか否かがチェックされ、正しいものである場合に、登録ファイルを取得して当該ファイル中の短縮パス情報に対応するパス情報に基づいて、任意のフォルダにアクセスするようにしているので、ユーザにとっては簡単な操作でかつ短時間に任意のフォルダにアクセスすることができる。
【発明の効果】
【０００９】
以上詳述したようにこの発明によれば、デジタル記録機器に記録されている放送コンテンツを階層化された複数のフォルダにより容易に管理できるようにするとともに、フォルダの階層の深さに伴うメモリの消費量を削減し得る放送コンテンツ処理装置及びこの放送コンテンツ処理装置の制御方法を提供することができる。
【発明を実施するための最良の形態】
【００１０】
以下、この発明の実施形態について図面を参照して詳細に説明する。  
図１は、この実施の形態で説明するデジタルテレビジョン放送受信装置１１の外観と、このデジタルテレビジョン放送受信装置１１を中心として構成されるネットワークシステムの一例を概略的に示している。
【００１１】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１２】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１３】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１４】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１５】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１６】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１７】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１８】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００１９】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２０】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２１】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２２】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２３】
そして、このチューナ４５で選局された放送信号は、ＰＳＫ（Phase Shift Keying）復調器４６に供給されて、デジタルの映像信号及び音声信号に復調された後、信号処理部４７に出力される。
【００２４】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２５】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２６】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２７】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００２８】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００２９】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３０】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３１】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３２】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３３】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３４】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３５】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３６】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３７】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３８】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００３９】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４０】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４１】
ところで、この第１の実施形態では、図３に示すように、ＨＤＤ２５を複数のフォルダに区分し、かつ複数のファルダを階層構造とし、各フォルダに放送コンテンツを格納している。
【００４２】
また、不揮発性メモリ６４には、図４に示すように、各フォルダへのパス情報を特定する短縮パス情報とショートカットフォルダ名との関係を表すテーブルが記憶されている。この短縮パス情報は、例えばＨＤＤ２５のあるフォルダ（図３ではフォルダ５ｈ）へのパス情報が「／／ＮＡＳ−Ａ／ｐｕｂｌｉｃ１／ｄｔｖ／２００４／０７／２２／ｕｓｅｒ１／ｍｏｖｉｅ」であるとすると、そのＨＤＤ２５を示すストレージＩＤ「００１」、最下位層のフォルダ内の放送コンテンツを示す個別コンテンツＩＤ「００００１」とを組み合わせた「００１００００１」となる。
【００４３】
さらに、図５に示すような短縮パス情報とパス情報との対応関係を表す登録ファイルがＨＤＤ２７に記憶保持されている。
【００４４】
一方、制御部６１は、この発明に係わる機能として、ファイル取得機能６１１と、アクセス制御機能６１２とを備えている。ファイル取得機能６１１は、任意のフォルダに対応する短縮パス情報が入力されたとき、入力された短縮パス情報と不揮発性メモリ６４に記憶された短縮パス情報とを比較し、この比較結果に基づいて、短縮パス情報に対応するパス情報を記述した登録ファイルをＨＤＤ２７から取得する。
【００４５】
アクセス制御機能６１２は、この登録ファイル中の対応するパス情報に基づいて、該当するファルダへのアクセスを行う。
【００４６】
次に、上記構成における処理動作について説明する。  
例えば、ユーザがリモートコントローラ１７を操作して短縮パス情報を入力したとする。すると、デジタルテレビジョン放送受信装置１１の制御部６１は、図６に示す処理手順を実行する。
【００４７】
まず、制御部６１は、リモートコントローラ１７により入力された短縮パス情報を受信し（ステップＳＴ６ａ）、この受信した短縮パス情報と不揮発性メモリ６４に記憶されている短縮パス情報とを比較し、一致するか否かの判断を行う（ステップＳＴ６ｂ）。
【００４８】
ここで、一致した場合（Ｙｅｓ）、制御部６１はＨＤＤ２７から登録ファイルを読み込み（ステップＳＴ６ｃ）、短縮パス情報に対応するパス情報から該当するフォルダがあるか否かの判断を行う（ステップＳＴ６ｄ）。該当するフォルダがあった場合には（Ｙｅｓ）、制御部６１は該当するフォルダへのアクセスを行い、街頭するフォルダが無い場合（Ｎｏ）、該当するフォルダが見当たらない旨のメッセージと短縮パス情報を映像表示器１４にＯＳＤ表示させる（ステップＳＴ６ｆ）。
【００４９】
一方、上記ステップＳＴ６ｂにおいて、短縮パス情報の照合がとれなかった場合（Ｎｏ）、制御部６１は短縮パス情報が違う旨のメッセージと短縮パス情報を映像表示器１４にＯＳＤ表示させる。
【００５０】
以上のように上記実施形態では、パス情報を特定する短縮パス情報を不揮発性メモリ６４に記憶し、またパス情報と短縮パス情報との対応関係を記述した登録ファイルをＨＤＤ２７に記憶保持するようにしているので、フォルダの階層の深さに伴う不揮発性メモリ６４の使用記憶領域を削減できる。
【００５１】
また、任意のフォルダに対する短縮パス情報が入力された際に、不揮発性メモリ６４に記憶されている短縮パス情報を利用して、入力短縮パス情報が正しいものであるか否かをチェックし、正しいものである場合に、ＨＤＤ２７から登録ファイルを取得して当該ファイル中の短縮パス情報に対応するパス情報に基づいて、任意のフォルダにアクセスするようにしているので、ユーザにとっては簡単な操作でかつ短時間に任意のフォルダにアクセスすることができる。
【００５２】
また、上記実施形態では、登録ファイルをＨＤＤ２７に記憶しておくことで、制御部６１は任意のフォルダへのアクセスに際し、短時間で登録ファイルを取得できる。
【００５３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５４】
【図１】この発明の実施形態に係わるデジタルテレビジョン放送受信装置とそれを中心として構成されるネットワークシステムの一例を概略的に説明するために示す図。
【図２】同実施形態におけるデジタルテレビジョン放送受信装置の主要な信号処理系を説明するために示すブロック構成図。
【図３】同実施形態において、ＨＤＤを階層構造の複数のフォルダに区分した例を説明するために示す図。
【図４】同実施形態におけるデジタルテレビジョン放送受信装置内の不揮発性メモリの記憶内容の一例を示す図。
【図５】同実施形態におけるパス情報と短縮パス情報との対応関係を記述した登録ファイルを説明するために示す図。
【図６】同実施形態において、デジタルテレビジョン放送受信装置のフォルダへのアクセス処理手順を示すフローチャート。
【符号の説明】
【００５５】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、７３…ガイダンスメモリ、６１１…ファイル取得機能、６１２…アクセス制御機能。
【図１】
2006094437.tif 000003
【図２】
2006094437.tif 000004
【図３】
2006094437.tif 000005
【図４】
2006094437.tif 000006
【図５】
2006094437.tif 000007
【図６】
2006094437.tif 000008